(57)【要約】  最初のセルへの移動が発生する時間を判定するステップと、前記最初のセルからの移動が続いて最初に発生する時間を判定するステップと、これら２つの時間の差分を判定するステップと、前記差分に依存する移動コンテキストをモバイル・ユーザ端末に割り当てるステップとによる、無線通信ネットワーク内でモバイル・ユーザ端末の移動コンテキストを判定する方法が提供される。
2009545917.tif 000002
【特許請求の範囲】
【請求項１】
最初のセルへの移動が発生する時間を判定するステップと、
前記最初のセルからの移動が続いて最初に発生する時間を判定するステップと、
前記２つの時間の差分を判定するステップと、
前記差分に依存する移動コンテキストを前記モバイル・ユーザ端末に割り当てるステップとによる、無線通信ネットワーク内でモバイル・ユーザ端末の移動コンテキストを判定する方法。
【請求項２】
前記差分に依存する前記コンテキストを割り当てる前記ステップが、
セル・サイズの推定値および判定した差分から、ユーザ端末移動速度の推定値を判定するステップと、
前記速度の推定値に依存するコンテキストを割り当てるステップとを含む、請求項１に記載の方法。
【請求項３】
前記セル・サイズの推定値が、無線通信ネットワークの形式に依存する、請求項１に記載の方法。
【請求項４】
前記セル・サイズの推定値が、以前の測定値から知られている、請求項２に記載の方法。
【請求項５】
前記ユーザ端末が移動することによって、セル識別情報が、前記ユーザに前記コンテキストを割り当てるステップにおいて、移動方向の推定値を判定するために使用され、前記コンテキストはまた、前記移動方向の推定値に依存する、請求項１に記載の方法。
【請求項６】
前記移動コンテキストの前記判定が、前記移動コンテキストの自動的な判定である、請求項１に記載の方法。
【請求項７】
前記モバイル・ユーザ端末が、１つのセルから別のセルにハンドオーバする時間の情報を提供するように作動するセル変化検出器と、
セル内へのハンドオーバと、それに続くセル外へのハンドオーバとの時間の差分を判定するように作動するプロセッサと、
前記モバイル・ユーザ端末に移動コンテキストを割り当てるように作動する移動コンテキスト推定器とを含み、
前記コンテキストが前記差分に依存する、無線通信用のモバイル・ユーザ端末。
【請求項８】
セル・サイズの推定値および前記判定された差分から、ユーザ端末の移動速度の推定値を判定する速度推定器をさらに含み、
前記移動コンテキスト推定器が、前記モバイル・ユーザ端末に前記移動コンテキストを割り当てるように作動し、前記コンテキストが、前記ユーザ端末の移動速度の推定値に依存する、請求項７に記載のモバイル・ユーザ端末。
【請求項９】
方向推定器が、移動方向推定値を判定するために前記ユーザ端末が移動することによって、セル識別情報を処理し、前記移動コンテキスト推定器に前記推定値を提供するように作動し、
前記移動コンテキスト推定器が、前記ユーザに前記コンテキストを割り当てる際に、移動方向の前記推定値を使用するように作動し、前記コンテキストが、移動方向の前記推定値に依存する、請求項７に記載のモバイル・ユーザ端末。
【請求項１０】
前記プロセッサがフィルタを含み、前記フィルタは、連続した前記セル内へのハンドオーバと前記セル外へのハンドオーバの時間データを、それらのハンドオーバが最初のセルから前記セル内へのハンドオーバ、次いで前記セルから同じ前記最初のセルまでのハンドオーバである場合に除去し、その結果、それらの時間の差分が検出されず、したがって移動コンテキストを割り当てる際に使用されない、請求項７に記載のモバイル・ユーザ端末。
【発明の詳細な説明】
【技術分野】
【０００１】
本発明は通信に関し、詳細には無線通信に関する。
【背景技術】
【０００２】
無線通信では、特定のユーザに対するサービスをカスタマイズする傾向がある。トランザクション・サービス、警報付監視および音声メールなどの特定の高度サービスでは、サービスを自動化する傾向もある。一態様は、通信を行うためのユーザの現在の状態および意志を示すプレゼンス情報の使用である。プレゼンス情報は、「在宅中」、「移動中」または「運転中」など、ユーザの移動についてのコンテキスト情報を含むことができる。呼び出されるターゲット・ユーザについてのこのような情報が提供されることで、いつどのように呼び出すかを、呼び出し側が情報に基づいて決定を下すことができる。たとえば、呼び出されるターゲット・ユーザが現在車で移動していることが呼び出し側でわかった場合は、ユーザに音声通話をさせないように決定することができる。
【０００３】
ＳＩＰ（セッション開始プロトコル）は、自動化された高度サービスの技術分野で十分に確立された規格である。ＳＩＰは、いくつかのＲＦＣ（Ｒｅｑｕｅｓｔｓ  Ｆｏｒ  Ｃｏｍｍｅｎｔｓ）、具体的にはＲＦＣ３２６１およびＲＦＣ３８６３によって定義されたＩＥＴＦ（Ｉｎｔｅｒｎａｔｉｏｎａｌ  Ｅｎｇｉｎｅｅｒｉｎｇ  Ｔａｓｋ  Ｆｏｒｃｅ）規格である。ＲＦＣ３８６３は、プレゼンス拡張のためのＳＩＰの使用を定義する。プレゼンス拡張は、ユーザの位置およびユーザのコンテキスト、すなわち、ユーザが在宅中、運転中、またはどんな状況であるかを示す。
【０００４】
この既知の手法によれば、一般的にユーザが、自分の位置および移動の形式についての情報を手動で入力、または選択する。位置情報およびコンテキスト情報のこのような入力または更新は時間がかかり、ユーザにはこれを行うことができないことが多い。結果として、常にこのような情報の多くは、古くなっている。手動で入力されるコンテキスト情報は、通常最初のうちは正確であるが、すぐに最新なものではなくなる。
【０００５】
これらの課題は、呼び出されるユーザの移動形式に関するコンテキスト情報を自動的に判定するという要求につながった。無線通信ネットワークのセルが現在位置する場所に関する情報、すなわちセル識別を使用して、たとえばコンテキスト情報を「在宅中」と推測できるモバイル端末の位置を特定することが、１つの手法である。これは、コールセットアップなどのイベントの発生で可能となる。セル識別およびコンテキストの直接的な関係によって、または、間接的にマップ座標などの地理的位置情報を提供するセル識別を用いることによって、およびそのユーザに関するコンテキスト情報を推測する情報から、コンテキストにセル識別を関連づけるこのような方法が可能となる。
【０００６】
ＵＭＴＳ（ユニバーサル移動電話システム）ネットワーク、またはＣＤＭＡ２０００（符号分割多元接続２０００）ネットワークなどの無線ネットワークでは、セル・サイズは一般的に、約直径５キロメートルまで大きくなる。このことは、このようなネットワークでは、セル識別（しばしばセルＩＤと呼ばれる）に基づいたユーザ位置は精度に欠けており、したがって、同様にコンテキスト情報も大ざっぱで、不正確な可能性があることを意味する。一方、ＷｉＦｉ（ＩＥＥＥ  ８０２．１１）ネットワークでは、セルがより小さいので、セルＩＤを用いて位置を特定するときの精度が非常に良くなる。一般的に、位置は、数十メートルから数百メートルまでの精度でわかる。しかしながら、小規模なＷｉＦｉネットワークが多数存在するため、位置に関する情報を集めたり処理したりすることがより必要とされる。
【０００７】
位置情報に加えて、移動速度も、コンテキスト情報を判定するときに有効である。モバイル端末の速度を監視できるＧＰＳ（全地球測位システム）検出器を含むユーザ端末が知られている。速度の推定により、たとえば速度が毎時５キロメートル（ｋｍ／ｈ）未満の場合は 静止（「在宅中」）、検出速度が５ｋｍ／ｈより速く、約５０ｋｍ／ｈ未満の場合は「移動中」、および速度が約５０ｋｍ／ｈより速い場合は「運転中」というコンテキスト情報が提供される。このような情報は、適切な高度サービスの提供を選択するときに有効である。たとえば、高度サービスに関する特定のメッセージをユーザに送信するべきかを決定するときに、「運転中」を示すコンテキスト情報は、ユーザが運転手なので、したがって成人であるという指標として受け取られる可能性がある。
【０００８】
モバイル端末内のＧＰＳ検出器の使用には、特にＧＰＳ検出器が大きな電池電力を必要とし、また、モバイル端末が屋内にある場合、またはポケットもしくはバッグに入れて運び出される場合など、モバイル端末からいくつかのＧＰＳ衛星までの見通し線が遮断されるときに、動作しなくなるという短所がある。さらに、現在のところ、内蔵型ＧＰＳ検出器を含む、市場に出ているモバイル端末の割合はごくわずかである。
【０００９】
本明細書では、１つのセルから別のセルへのモバイル端末の移動に関して、ハンドオーバという用語が使用される。ハンドオーバは、ハンドオフと同義である。
【発明の概要】
【発明が解決しようとする課題】
【００１０】
１つのセルから別のセルにハンドオーバが発生する時間から移動速度を推定することによって、発明者らは、ユーザの移動に関する有効なコンテキスト情報を提供する方法を明らかにした。
【課題を解決するための手段】
【００１１】
本発明の一例は、無線通信ネットワーク内でモバイル・ユーザ端末の移動コンテキストを判定する方法である。この方法は、最初のセルへの移動が発生する時間を判定するステップと、前記最初のセルからの移動が続いて最初に発生する時間を判定するステップと、前記２つの時間の差分を判定するステップと、前記差分に依存する移動コンテキストを前記モバイル・ユーザ端末に割り当てるステップとによって実行される。
【００１２】
もう１つの一例は、無線通信用のモバイル・ユーザ端末である。この端末は、１つのセルから別のセルに、モバイル・ユーザ端末がハンドオーバする時間の情報を提供するように作動するセル変化検出器を含む。この端末はまた、セル内のハンドオーバと、それに続くセル外へのハンドオーバとの時間の差分を判定するように作動するプロセッサを含む。この端末はまた、モバイル・ユーザ端末に移動コンテキストを割り当てるように作動する移動コンテキスト推定器を含み、前記コンテキストは前記差分に依存する。
【００１３】
次に、本発明の実施形態を、一例として、図面を参照して説明する。
【図面の簡単な説明】
【００１４】
【図１】本発明の一実施形態による、例示の無線通信ネットワークおよびユーザ端末を示す概略図である。
【図２】本発明の第１の実施形態によるモバイル端末を示す概略図である。
【図３】本発明の第２の実施形態によるモバイル端末を示す概略図である。
【発明を実施するための形態】
【００１５】
既知のシステムを考慮すれば、移動に関するコンテキスト情報が、１つのセルから別のセルにハンドオーバするタイミングを考えることから導くことができると、本発明者は理解した。
【００１６】
例示のネットワーク
例示のネットワークは、ＵＭＴＳ（ユニバーサル移動電話システム）地上波アクセス・ネットワークＵＴＲＡＮであり、これは移動通信のための広帯域のＣＤＭＡ（符号分割多元接続）ネットワークの一形式である。このＵＴＲＡＮネットワークは、基本的には図１に示すようなものである。簡潔に示すために、ＵＴＲＡＮネットワーク２の１つの無線ネットワーク制御装置と２つの基地局だけを示す。この図に示すように、ＵＴＲＡＮネットワーク２は、基地局４を含む。この図では、各々の基地局４はまた、ＵＭＴＳ用語にしたがって「ノードＢ」と示す。セクタとも称されるセルは、基地局の対応するアンテナによって供給される無線の受信可能エリアである。各基地局は、典型的には３つのセル６を有し、方位角で互いに１２０度の角度をなす３つの指向性アンテナ７のうちの１つによってそれぞれカバーされる。ＲＮＣ（無線ネットワーク制御装置）８はそれぞれ、典型的にはいくつかの基地局４を、したがって複数のセル６を制御する。ＩｕＢインタフェースとして知られる各インタフェース１０を介して、基地局４はそれを制御するＲＮＣ（無線ネットワーク制御装置）８に接続される。使用時には、モバイル・ユーザ端末１２（ＵＭＴＳ用語ではしばしばＵＥ（ユーザ装置）と呼ばれる）は、少なくとも１つの基地局４の少なくとも１つのセル６を介して、サービスを提供するＲＮＣ（無線ネットワーク制御装置）８と通信する。このようにして、モバイル・ユーザ端末はＵＴＲＡＮネットワーク２と通信する。
【００１７】
移動速度の推定
モバイル端末１２の移動速度は、１つのセルから次のセルへのハンドオーバ間の時間間隔を判定することから測定される。この手法が機能するのは、人口の多いエリアなど多くのエリア内で、ネットワークによる受信可能範囲が基本的に完備されているためである。さらに、モバイル端末はセル変化を検出することができる。
【００１８】
図２に示すように、例示のモバイル端末１２はセル変化検出器１４を含む。この検出器１４は、内部クロック１６を含む。この検出器は、１つのセルから次のセルにハンドオーバし、移動元のセル識別セルＩＤｏｌｄ、移動先のセル識別セルＩＤｎｅｗ、およびクロック１６で検出される移動時間Ｔ２からなるデータ１８を送信する指示を、モバイル端末がいつ受信するかを検出するように作動する。このデータ１８は、無効変更フィルタ２１に送られる。セル間の最終移動時間Ｔ１はまた、その時間が以前格納されたメモリ２２からプロセッサ２０に提供される。
【００１９】
関連したＲＮＣ（無線ネットワーク制御装置）８が、１つのセルから次のセルにハンドオーバする指示を、いわゆるネットワーク・リンク・レベル・シグナリングの一部として生成する。この指示は、移動先のセル識別セルＩＤｎｅｗ、および使用される周波数帯域を含む。
【００２０】
プロセッサ２０は、モバイル端末がセル境界付近で相対的に静止するときに発生することがある、セルＡからセルＢへ、またセルＢからセルＡへのデータ形式の頻繁な変更を除去し、したがって無視するように作動する、「無効な変更」フィルタ２１を含む。その他の場合は、時間間隔（Δｔｉｍｅ）が、Δｔｉｍｅ＝Ｔ２−Ｔ１で推測される。
【００２１】
この時間間隔（Δｔｉｍｅ）は、速度推定器２４に送られる。この速度推定器は、セル直径の推定値を使用して、以下のように速度を推定する。
速度＝セル直径／Δｔｉｍｅ
【００２２】
この推定されたセル直径は、セルが地方にあるかまたは都市部にあるかなどの情報に依存して事前に設定される。都市部では、セル密度がより高くなるため、セル直径はより小さくなる。推定されたセル直径はまた、ネットワークの形式に依存して設定され、たとえばこのＵＭＴＳネットワークでは、ＧＳＭ（移動用グローバルシステム）形式の対応するネットワーク（図示せず）用に設定されたものより、推定されたセル直径は広く設定される。
【００２３】
速度推定値からコンテキスト情報を導く
図２に示すように、速度推定器２４から、適切に対応するコンテキスト情報を選択するように作動する活動推定器２６に、速度推定値が提供される。コンテキスト情報は、モバイル端末のために以下の通りに選択される。たとえば、速度が毎時５キロメートル（ｋｍ／ｈ）未満の場合は「在宅中」すなわち静止、検出速度が５ｋｍ／ｈより速いが、約５０ｋｍ／ｈ未満の場合は「移動中」、速度が約５０ｋｍ／ｈより速い場合は「運転中」となる。
【００２４】
コンテキスト情報の共有
一度誘導されたコンテキスト情報は、たとえばＳＩＰイベント・フレームワークを用いることにより、潜在的な通信相手と共有される。具体的には、コンテキスト情報は、ＰＵＢＬＩＳＨ機能を使用してプレゼンス・サーバに転送される。そこから、コンテキスト情報は、ＮＯＴＩＦＹ機能を使用して１人または複数の関心のある他の契約ユーザに通知することができる。
【００２５】
コンテキスト情報は、適切な高度サービスの提供を選択するときに有効である。たとえば、高度サービスに関する特定の呼び出しまたはメッセージをユーザに送るべきかを決定するときに、「運転中」を示すコンテキスト情報は、ユーザが運転手である、したがって成人であるという指示として受け取られる可能性がある。 
【００２６】
他の一例
下記の点以外は図２に示すものと同様である他の例（図示せず）では、単に地方または都市部の基準、およびネットワーク基準の形式に依存してセル・サイズを事前に推定するのではなく、セル・サイズのより具体的な知識を使用することができる。この知識は、たとえば、無線送信時間の試験測定値、またはネットワーク計画からの情報に基づくことができる。このセル・サイズの情報は、モバイル端末のメモリ内に記憶される。より精度を高めているので、これらのセル・サイズの値により、速度推定がそれに応じてより正確になる。
【００２７】
図３で示す他の例示のモバイル端末では、下記の点以外は図２に示すモバイル端末と同様であるが、メモリ３２２が、具体的にはセルの中心の経度および緯度に関して、セルの特定の地理的位置に関する情報を記憶する。移動元のセル識別セルＩＤｏｌｄと移動先のセル識別セルＩＤｎｅｗの情報が、それらの２つのセルの中心位置と共に、メモリ３２２から方向推定器３２８に渡される。この方向推定器３２８は、推定された移動速度と共に使用される移動方向を判定し、たとえば「北へ移動中」または「南西へ運転中」という適切なコンテキストを提供する。
【００２８】
特定のセル・サイズおよび／または経度および緯度座標は、データベースとしての役割を果たすメモリ３２２内に記憶することができ、メモリ３２２が小さい場合には、その代わりに、ネットワークに基づいたデータベース（図示せず）に照会することによってその情報を得ることができる。
【００２９】
モバイル端末によるセル・ハンドオーバが特定できる無線通信ネットワークの任意の形式において、上述した手法が広く使用できることが理解されよう。たとえば、モバイル端末の速度、したがってそのモバイル端末用のコンテキスト情報を推定するための、図２および図３に関して上述した手法は、ＧＳＭネットワークおよびＷｉＦｉネットワークなどの他のネットワーク内でも使用可能である。
【００３０】
たとえば、ＷｉＦｉネットワークでは、通常、セル・ハンドオーバは移動局主導型であるが、セル・ハンドオーバのタイミングはそれでもやはり検出可能である。セル識別に関する情報は、ＩＥＥＥ８０２．１１ａ、８０２．１１ｂまたは８０２．１１ｇなどのＩＥＥＥ８０２．１１規格にしたがって、周波数制御通信路に割り当てられる周波数帯域上のモバイル端末にブロードキャストされる制御信号内に提供される。セル識別についての関連情報は、ＡＰ  ＭＡＣ（Ａｃｃｅｓｓ  Ｐｏｉｎｔ  Ｍｅｄｉｕｍ  Ａｃｃｅｓｓ  Ｃｏｎｔｒｏｌ）アドレス（ＢＳＳＩＤ（Ｂａｓｅ  Ｓｔａｔｉｏｎ  Ｓｙｓｔｅｍ  ＩＤｅｎｔｉｔｙ））である。
【００３１】
全般
本発明は、その本質的特徴から逸脱することなく、他の特定の形式で実施することができる。上述の実施形態は、すべての点において例示にすぎず限定的でないものと見なされるべきである。したがって、本発明の範囲は、前述の説明によるよりむしろ添付の特許請求の範囲によって示される。各請求項の意味および同等の範囲内でなされるすべての変更は、それらの範囲に含まれるべきである。
【図１】
2009545917.tif 000003
【図２】
2009545917.tif 000004
【図３】
2009545917.tif 000005
【国際調査報告】
2009545917.tif 000006
2009545917.tif 000007
2009545917.tif 000008